(57)【要約】【課題】本発明は、電力消費を低減させ、低耐圧の駆動回路で維持放電を行うことができるプラズマディスプレイ装置及びプラズマディスプレイパネルの駆動方法を提供することを目的とする。【解決手段】Ｘ電極３１ＸとＹ電極３１Ｙからなる表示電極に維持パルスを印加し、点灯すべきセル３３の輝度に応じた回数の維持放電を生じさせることにより画像を表示するプラズマディスプレイ装置であって、  前記Ｘ電極又は前記Ｙ電極のいずれか一方には、単独では前記維持放電を発生させない波高値の低電圧維持パルスを印加し、他方の前記表示電極には、単独で前記維持放電を発生させる波高値の高電圧維持パルスを印加するとともに、  前記表示電極間の電位差波形が、前記低電圧維持パルスの波高値と前記高電圧維持パルスの波高値の合計値となる部分を含むように、前記維持パルスを前記表示電極に印加するＸ電極駆動回路１０ＸとＹ電極駆動回路１０Ｙを有することを特徴とする。【選択図】図４
2009294408.tif 000002
【特許請求の範囲】
【請求項１】
Ｘ電極とＹ電極からなる表示電極に維持パルスを印加し、点灯すべきセルの輝度に応じた回数の維持放電を生じさせることにより画像を表示するプラズマディスプレイ装置であって、
前記Ｘ電極に前記維持パルスを印加するＸ電極駆動回路と、
前記Ｙ電極に前記維持パルスを印加するＹ電極駆動回路とを有し、
前記Ｘ電極駆動回路と前記Ｙ電極駆動回路は、前記Ｘ電極又は前記Ｙ電極のいずれか一方に、単独では前記維持放電が発生しない波高値を有する低電圧維持パルスを印加し、他方の前記表示電極には、単独で前記維持放電を発生させる波高値を有する高電圧維持パルスを印加するとともに、
前記低電圧維持パルスと前記高電圧維持パルスの双方を同時に印加する期間を有することを特徴とするプラズマディスプレイ装置。
【請求項２】
前記Ｘ電極駆動回路と前記Ｙ電極駆動回路は、前記低電圧維持パルスの立ち上がりタイミングが、前記高電圧維持パルスの立ち下がりタイミングより所定時間遅れるか、又は前記低電圧維持パルスの立ち下がりタイミングが、前記高電圧維持パルスの立ち上がりタイミングより所定時間遅れる部分を含むように、前記低電圧維持パルスと前記高電圧維持パルスを印加することを特徴とする請求項１に記載のプラズマディスプレイ装置。
【請求項３】
前記低電圧維持パルスのパルス幅は、前記高電圧維持パルスのパルス幅よりも小さいことを特徴とする請求項１又は２に記載のプラズマディスプレイ装置。
【請求項４】
前記Ｘ電極駆動回路と前記Ｙ電極駆動回路は、前記低電圧維持パルスと前記高電圧維持パルス双方の電圧の立ち上がり及び立ち下がり時に電力回収を行う電力回収回路を備えることを特徴とする請求項１乃至３のいずれか一項に記載のプラズマディスプレイ装置。
【請求項５】
前記Ｘ電極駆動回路と前記Ｙ電極駆動回路は、前記Ｘ電極と前記Ｙ電極間の電位差波形が、前記高電圧維持パルスの波高値と等しくなってから１回目の維持放電が発生し、前記合計値と等しくなってから２回目の維持放電が発生するように電圧設定を行うことを特徴とする請求項１乃至４のいずれか一項に記載のプラズマディスプレイ装置。
【請求項６】
前記高電圧維持パルスの波高値は、前記低電圧維持パルスの波高値の２倍以上４倍以下であることを特徴とする請求項１乃至５のいずれか一項に記載のプラズマディスプレイ装置。
【請求項７】
前記低電圧維持パルスと、前記高電圧維持パルスは、中央の電位が同電位であることを特徴とする請求項１乃至６のいずれか一項に記載のプラズマディスプレイ装置。
【請求項８】
前記低電圧維持パルスは、前記Ｘ電極に印加する維持パルスであり、前記高電圧維持パルスは、前記Ｙ電極に印加する維持パルスであることを特徴とする請求項１乃至７のいずれか一項に記載のプラズマディスプレイ装置。
【請求項９】
Ｘ電極とＹ電極からなる表示電極に維持パルスを印加し、点灯すべきセルの輝度に応じた回数の維持放電を生じさせることにより画像を表示するプラズマディスプレイパネルの駆動方法であって、
前記Ｘ電極又は前記Ｙ電極のいずれか一方に、単独では前記維持放電を発生させない波高値の低電圧維持パルスを印加し、他方の前記表示電極に、単独で前記維持放電を発生させることができる波高値を有する高電圧維持パルスが印加するとともに、
前記低電圧維持パルスと前記高電圧維持パルスの双方を同時に印加する期間を有することを特徴とするプラズマディスプレイパネルの駆動方法。
【請求項１０】
前記低電圧維持パルスの立ち上がりタイミングが、前記高電圧維持パルスの立ち下がりタイミングより所定時間遅れるか、又は前記低電圧維持パルスの立ち下がりタイミングが、前記高電圧維持パルスの立ち上がりタイミングより所定時間遅れる部分を含むように、前記表示電極に前記維持パルスを印加することを特徴とする請求項９に記載のプラズマディスプレイパネルの駆動方法。
【請求項１１】
前記低電圧維持パルスのパルス幅は、前記高電圧維持パルスのパルス幅よりも小さいことを特徴とする請求項９又は１０に記載のプラズマディスプレイパネルの駆動方法。
【請求項１２】
前記低電圧維持パルスと前記高電圧維持パルス双方の電圧の立ち上がり及び立ち下がりは、電力回収が行われるＬＣ共振の電圧波形であることを特徴とする請求項９乃至１１のいずれか一項に記載のプラズマディスプレイパネルの駆動方法。
【請求項１３】
前記Ｘ電極と前記Ｙ電極間の電位差波形が、前記高電圧維持パルスの波高値と等しくなってから１回目の維持放電が発生し、前記合計値と等しくなってから２回目の維持放電が発生するように前記維持パルスの電圧設定が行われていることを特徴とする請求項９乃至１２のいずれか一項に記載のプラズマディスプレイパネルの駆動方法。
【請求項１４】
前記高電圧維持パルスの波高値は、前記低電圧維持パルスの波高値の２倍以上４倍以下であることを特徴とする請求項９乃至１１のいずれか一項に記載のプラズマディスプレイパネルの駆動方法。
【請求項１５】
前記Ｘ電極に印加する維持パルスと、前記Ｙ電極に印加する維持パルスは、中央の電位が同電位であることを特徴とする請求項９乃至１４のいずれか一項に記載のプラズマディスプレイパネルの駆動方法。
【請求項１６】
前記低電圧維持パルスは、前記Ｘ電極に印加する維持パルスであり、前記高電圧維持パルスは、前記Ｙ電極に印加する維持パルスであることを特徴とする請求項９乃至１５のいずれか一項に記載のプラズマディスプレイパネルの駆動方法。
【発明の詳細な説明】
【技術分野】
【０００１】
本発明は、プラズマディスプレイ装置及びプラズマディスプレイパネルの駆動方法に関する。
【背景技術】
【０００２】
近年、ＣＲＴ（Cathode Ray Tube）に替わる表示パネルとして実用化されているプラズマディスプレイ装置は、自己発光型のため、視認性が良く、薄型で、大画面表示および高速表示が可能である。このプラズマディスプレイ装置の表示方式には、１つのフィールドで全ての表示ラインを表示するノンインターレース（プログレッシブ）方式と、奇数番目の表示ラインを表示する奇数フィールドと偶数番目の表示ラインを表示する偶数フィールドとを交互に表示するインターレース方式とがある。
【０００３】
また、インターレース方式の一例としては、ＡＬＩＳ（Alternate Lighting of Surface）方式が知られている（例えば、特許文献１参照）。従来のプラズマディスプレイ装置では、対を成す表示電極（Ｘ電極およびＹ電極）で１表示ラインが形成されるのに対して、このＡＬＩＳ方式では、Ｘ電極とＹ電極の隣接する全ての電極間で表示ラインが形成される。
【０００４】
すなわち、Ｘ電極とＹ電極には、それぞれ別々に駆動用の電極駆動回路が接続され、奇数番目の電極には、例えば第１の電極駆動回路により維持パルスが印加され、偶数番目の電極には、例えば第２の電極駆動回路により維持パルスが印加される。奇数番目の電極に印加される維持パルスと、偶数番目の電極に印加される維持パルスは互いに逆相とされる。Ｘ電極とＹ電極は、セルと呼ばれる放電空間内で維持パルスが印加されることにより、維持放電が発生してセルを発光させる。これらのセルにより、プラズマディスプレイプレイパネルの画素が構成されている。
【０００５】
かかるＡＬＩＳ方式によれば、同数の表示電極で２倍の表示ライン化を実現でき、また、従来と同数の表示ライン数を形成しようとする場合には、１／２の表示電極数で実現することができるとされる（例えば、特許文献２参照）。
【０００６】
図１０は、従来のプラズマディスプレイ装置における駆動波形および発光波形の概要を示す図である。図１０（ｄ）に示すように、各サブフィールド期間は、画面の帯電分布を一様に初期化するリセット期間と、表示内容に応じたセルを選択するアドレス期間と、明るさに応じた回数で維持パルスを印加することによりセルを発光させて画像を表示するサステイン期間とで構成される。また、図１０（ａ）〜（ｃ）に示すように、リセット期間、アドレス期間、サステイン期間に、アドレス電極、Ｘ電極及びＹ電極に駆動電圧が印加され、図１０（ｅ）に示す発光波形が生じる。
【０００７】
図１１は、従来のプラズマディスプレイ装置における維持パルスの例を示す図である。図１１に示すように、プラズマディスプレイパネルの駆動には、Ｘ電極とＹ電極に交互に振幅Ｖｓ（ｘ）またはＶｓ（ｙ）の単純矩形波の維持パルスＰｓを印加する。Ｖｓ（ｘ）とＶｓ（ｙ）の電圧値はともにＶｓであり、Ｘ電極とＹ電極とを交互に一時的に電位Ｖｓにバイアスする。これにより、Ｘ電極とＹ電極との間に交互にパルス列が加わる。パネルベース電位（通常はグランドレベル：ＧＮＤ）とパネルバイアス電位との差、すなわち維持放電電圧Ｖｓは、放電駆動マージンの範囲内の値に設定される。このように、維持期間においては、同電位の維持パルスＰｓをＸ電極とＹ電極に交互に印加することにより、極性が入れ替わって交互に維持放電が発生し、セルを発光させることができる。
【０００８】
なお、セルの表面には、Ｘ電極及びＹ電極を保護するように、ＭｇＯ膜等からなる保護層が形成されているが、維持放電時には、高電圧の維持パルスが印加され、放電の度にイオンが蓄積するため、保護層にダメージが蓄積する。かかる電極ＭｇＯ膜のイオン衝撃を和らげるため、Ｙ電極が陰極時のＸＹ間電圧を低くするべく、Ｘ電極に印加するサステイン電圧をＹ電極に印加するサステイン電圧よりも低電圧にし、瞬間放電強度を和らげて保護層のダメージを緩和するようにした技術が知られている（例えば、特許文献３参照）。
【特許文献１】特開２００４−３０９９８３号公報
【特許文献２】特許第２８０１８９３号公報
【特許文献３】特開２００３−２７１０８９号公報
【発明の開示】
【発明が解決しようとする課題】
【０００９】
しかしながら、上述の図１１において説明した従来技術の構成では、Ｘ電極及びＹ電極に印加する維持パルスが同電位であるため、双方とも維持放電を発生させるために高電圧の維持パルスを発生させる必要があり、駆動素子の負担増や発熱は言うまでも無く、消費電力の増大やコスト上昇を伴うという問題があった。
【００１０】
また、上述の特許文献１に記載の構成では、保護層のダメージ緩和を目的とし、Ｘ電極に印加するサステイン電圧を若干低電圧にしただけであるので、Ｘ電極駆動用のＸサステイン回路は、Ｙ電極駆動用のＹサステイン回路とほぼ同様の耐性にする必要があり、Ｘサステイン回路は、やはり高耐圧仕様の高価な構成とせざるを得ないという問題があった。
【００１１】
そこで、本発明は、駆動素子の負担を軽減し、電力消費を低減させるとともに、低コストで低耐圧の駆動回路を用いて維持放電を行うことができるプラズマディスプレイ装置及びプラズマディスプレイパネルの駆動方法を提供することを目的とする。
【課題を解決するための手段】
【００１２】
上記目的を達成するため、第１の発明に係るプラズマディスプレイ装置は、Ｘ電極とＹ電極からなる表示電極に維持パルスを印加し、点灯すべきセルの輝度に応じた回数の維持放電を生じさせることにより画像を表示するプラズマディスプレイ装置であって、
前記Ｘ電極に前記維持パルスを印加するＸ電極駆動回路と、
前記Ｙ電極に前記維持パルスを印加するＹ電極駆動回路とを有し、
前記Ｘ電極駆動回路と前記Ｙ電極駆動回路は、前記Ｘ電極又は前記Ｙ電極のいずれか一方に、単独では前記維持放電が発生しない波高値を有する低電圧維持パルスを印加し、他方の前記表示電極には、単独で前記維持放電を発生させる波高値を有する高電圧維持パルスを印加するとともに、
前記低電圧維持パルスと前記高電圧維持パルスの双方を同時に印加する期間を有することを特徴とする。
【００１３】
これにより、Ｘ電極又はＹ電極の一方の駆動回路の消費電力を低減するとともに、低耐圧で安価に構成することができ、高効率化及び低コスト化を図ることができる。
【００１４】
第２の発明は、第１の発明に係るプラズマディスプレイ装置において、
前記Ｘ電極駆動回路と前記Ｙ電極駆動回路は、前記低電圧維持パルスの立ち上がりタイミングが、前記高電圧維持パルスの立ち下がりタイミングより所定時間遅れるか、又は前記低電圧維持パルスの立ち下がりタイミングが、前記高電圧維持パルスの立ち上がりタイミングより所定時間遅れる部分を含むように、前記維持パルスを前記表示電極に印加することを特徴とする。
【００１５】
これにより、表示電極間の電位差波形を、高電圧維持パルスの上に低電圧維持パルスが積み上げられた段差のある波形とすることができ、２段階の放電を行ういわゆる２山放電を発生させ易くなり、高効率の維持放電を実現することができる。
【００１６】
第３の発明は、第１又は第２の発明に係るプラズマディスプレイ装置において、
前記低電圧維持パルスのパルス幅は、前記高電圧維持パルスのパルス幅よりも小さいことを特徴とする。
【００１７】
これにより、２山放電が発生した後、最後の高電圧維持パルスの立ち下がり時にもう１回プライミングによる放電を発生させることができ、２山放電をやって次に１回の放電でセル内の壁電荷を整えるという高効率でかつ壁電荷の状態が適切に維持させる維持放電を実行することができる。
【００１８】
第４の発明は、第１〜３のいずれかの発明に係るプラズマディスプレイ装置において、
前記Ｘ電極駆動回路と前記Ｙ電極駆動回路は、前記維持パルスの電圧の立ち上がり及び立ち下がり時に電力回収を行う電力回収回路を備えることを特徴とする。
【００１９】
これにより、維持放電の際に電力回収を行うことができ、更に省電力化を図ることができる。
【００２０】
第５の発明は、第１〜４のいずれかの発明に係るプラズマディスプレイ装置において、
前記Ｘ電極駆動回路と前記Ｙ電極駆動回路は、前記Ｘ電極と前記Ｙ電極間の電位差波形が、前記高電圧維持パルスの波高値と等しくなってから１回目の維持放電が発生し、前記合計値と等しくなってから２回目の維持放電が発生するように電圧設定を行うことを特徴とする。
【００２１】
これにより、確実に２山放電を発生させることができ、低コスト化だけでなく、高効率化を確実に図ることができる。
【００２２】
第６の発明は、第１〜５のいずれかの発明に係るプラズマディスプレイ装置において、
前記高電圧維持パルスの波高値は、前記低電圧維持パルスの波高値の２倍以上４倍以下であることを特徴とする。
【００２３】
これにより、片側の駆動回路を他方に比較して著しく低耐圧の回路に構成することができ、低コスト化を図ることができる。
【００２４】
第７の発明は、第１〜６のいずれかの発明に係るプラズマディスプレイ装置において、
前記低電圧維持パルスと、前記高電圧維持パルスは、中央の電位が同電位であることを特徴とする。
【００２５】
これにより、表示電極に逆極性の電位の維持パルスを印加することができ、維持放電を発生させ易くすることができる。
【００２６】
第８の発明は、第１〜７のいずれかの発明に係るプラズマディスプレイ装置において、
前記低電圧維持パルスは、前記Ｘ電極に印加する維持パルスであり、前記高電圧維持パルスは、前記Ｙ電極に印加する維持パルスであることを特徴とする。
【００２７】
これにより、リセット放電で大きなリセット電圧の印加が必要なＹ電極駆動回路には、これを利用して高電圧維持パルスを印加させるとともに、このような大電圧を印加する期間が維持期間しかないＸ電極駆動回路を必要最小限に構成することができ、駆動回路コストを低減することができる。
【００２８】
第９の発明に係るプラズマディスプレイパネルの駆動方法は、Ｘ電極とＹ電極からなる表示電極に維持パルスを印加し、点灯すべきセルの輝度に応じた回数の維持放電を生じさせることにより画像を表示するプラズマディスプレイパネルの駆動方法であって、
前記Ｘ電極又は前記Ｙ電極のいずれか一方に、単独では前記維持放電を発生させない波高値の低電圧維持パルスを印加し、他方の前記表示電極に、単独で前記維持放電を発生させることができる波高値を有する高電圧維持パルスが印加するとともに、
前記低電圧維持パルスと前記高電圧維持パルスの双方を同時に印加する期間を有することを特徴とするプラズマディスプレイパネルの駆動方法。
【００２９】
これにより、Ｘ電極又はＹ電極の一方に印加する維持パルスを小さくすることができ、消費電力の低減化を図ることができるとともに、低コスト化を図ることができる。
【００３０】
第１０の発明は、第９の発明に係るプラズマディスプレイパネルの駆動方法において、
前記低電圧維持パルスの立ち上がりタイミングが、前記高電圧維持パルスの立ち下がりタイミングより所定時間遅れるか、又は前記低電圧維持パルスの立ち下がりタイミングが、前記高電圧維持パルスの立ち上がりタイミングより所定時間遅れる部分を含むように、前記表示電極に前記維持パルスを印加することを特徴とする。
【００３１】
これにより、維持放電を２段階で発生させる２山放電を発生させ易くなり、低コスト化のみならず高効率化を実現することができる。
【００３２】
第１１の発明は、第９又は第１０の発明に係るプラズマディスプレイパネルの駆動方法において、
前記低電圧維持パルスのパルス幅は、前記高電圧維持パルスのパルス幅よりも小さいことを特徴とする。
【００３３】
これにより、２山放電の後に、プライミングにより１山放電を発生させることができ、２山放電で高効率の放電を行い、その後の１山放電でセル内の壁電荷を調整することができ、高効率かつ適切な維持放電を行うことができる。
【００３４】
第１２の発明は、第９〜１１のいずれかの発明に係るプラズマディスプレイパネルの駆動方法において、
前記維持パルスの電圧の立ち上がり及び立ち下がりは、電力回収が行われるＬＣ共振の電圧波形であることを特徴とする。
【００３５】
これにより、維持放電における省電力化を図ることができ、低コストの装置を用いて、高効率、省電力を実現することができる。
【００３６】
第１３の発明は、第９〜１２のいずれかの発明に係るプラズマディスプレイパネルの駆動方法において、
前記Ｘ電極と前記Ｙ電極間の電位差波形が、前記高電圧維持パルスの波高値と等しくなってから１回目の維持放電が発生し、前記合計値と等しくなってから２回目の維持放電が発生するように前記維持パルスの電圧設定が行われていることを特徴とする。
【００３７】
これにより、２山放電を確実に実行することができ、高効率の維持放電を確実に実現することができる。
【００３８】
第１４の発明は、第９〜１１のいずれかの発明に係るプラズマディスプレイパネルの駆動方法において、
前記高電圧維持パルスの波高値は、前記低電圧維持パルスの波高値の２倍以上４倍以下であることを特徴とする。
【００３９】
これにより、低電圧維持パルスの波高値を著しく小さくすることができ、Ｘ電極又はＹ電極の一方の駆動回路の負担を低減させ、発熱を抑制することができる。
【００４０】
第１５の発明は、第９〜１４のいずれかの発明に係るプラズマディスプレイパネルの駆動方法において、
前記Ｘ電極に印加する維持パルスと、前記Ｙ電極に印加する維持パルスは、中央の電位が同電位であることを特徴とする。
【００４１】
これにより、表示電極間に逆極性の維持パルスを印加することができ、維持放電を発生させ易くすることができる。
【００４２】
第１６の発明は、第９〜１５のいずれかの発明に係るプラズマディスプレイパネルの駆動方法において、
前記低電圧維持パルスは、前記Ｘ電極に印加する維持パルスであり、前記高電圧維持パルスは、前記Ｙ電極に印加する維持パルスであることを特徴とする。
【００４３】
これにより、リセット放電で大きな電圧印加が必要なＹ電極には、維持放電においても大きな電圧印加を行わせ、維持放電以外に大きな電圧印加の必要の無いＸ電極には、小さな電圧印加を行わせることができるので、Ｘ電極に印加する電圧を一貫して小さくでき、Ｘ電極駆動回路の回路耐圧を下げることができる。
【発明の効果】
【００４４】
本発明によれば、Ｘ電極とＹ電極のいずれか一方の駆動回路の耐圧を他方に比較して著しく低下させることができ、低コストで維持放電を行う駆動回路を実現できる。
【発明を実施するための最良の形態】
【００４５】
以下、図面を参照して、本発明を実施するための最良の形態の説明を行う。
【００４６】
図１は、本発明を適用した実施の形態に係るプラズマディスプレイ装置及びプラズマディスプレイパネルの駆動方法における１サブフィールドの駆動波形および発光波形の概要の一例を示した図である。図１（ａ）は、アドレス電極の駆動波形を示した図であり、図１（ｂ）は、Ｘ電極の駆動波形を示した図である。また、図１（ｃ）は、Ｙ電極の駆動波形を示した図であり、図１（ｄ）は、１サブフィールドの放電期間の構成を示した図である。図１（ｅ）は、セルにおける発光波形を示した図である。
【００４７】
図１（ｄ）に示すように、駆動電圧波形は、前述の図１０（ｄ）で説明したのと同様に、各サブフィールドにおいて、セルの初期化を行うリセット期間と、点灯セルを選択するアドレス期間と、明るさに応じた回数で維持パルスを印加するサステイン期間とによって構成されている。プラズマディスプレイ装置においては、１フィールドの画像を、複数のサブフィールドに分割してアドレス電極、Ｘ電極及びＹ電極を駆動させ、セルを発光させるサブフィールド法を用いる。サブフィールド法においては、このサブフィールドの組み合わせにより、画像の階調を表現するが、１サブフィールドは、図１（ｄ）に示すように、リセット期間、アドレス期間及びサステイン期間から構成されている。
【００４８】
図１（ａ）、（ｄ）に示すように、アドレス電極は、アドレス期間にはセルを選択するためのアドレス電圧Ｖａを供給する。図１（ｂ）、（ｄ）に示すように、Ｘ電極には、サステイン期間には維持放電電圧Ｖｓ（ｘ）が供給される。図１（ｃ）、（ｄ）に示すように、Ｙ電極には、リセット期間には正傾斜波電圧Ｖｗと負傾斜波電圧Ｖｙで構成されるリセットパルスが供給される。また、Ｙ電極には、アドレス期間にはスキャン用のスキャン電圧Ｖｓｃが供給され、サステイン期間には維持放電電圧Ｖｓ（ｙ）がそれぞれ供給される。
【００４９】
図１（ｂ）、（ｃ）、（ｄ）において、サステイン期間のＸ電極とＹ電極の駆動波形に着目すると、サステイン期間中の維持パルスについては、Ｙ電極の維持放電電圧Ｖｓ（ｙ）に対して低いＸ電極の維持電圧Ｖｓ（ｘ）がそれぞれ付加されている。図１の例では、サステイン期間の先頭の維持パルスを維持放電電圧Ｖｓ（ｙ）で立ち上げた後、Ｖｓ（ｙ）よりも低い維持放電電圧Ｖｓ（ｘ）を付加している。つまり、サステイン期間への移行時において、同じ維持放電電圧で駆動する場合と比較しても、パネル電極間の電圧には影響はなく、低い維持回路で駆動ができ、Ｘ電極側の回路が簡略化できる。
【００５０】
〔実施の形態１〕
図２は、本発明を適用した実施の形態１に係るプラズマディスプレイ装置の概略全体構成を示した図である。本実施の形態に係るプラズマディスプレイ装置は、電極駆動回路１０（Ｙ電極駆動回路１０Ｙ、Ｘ電極駆動回路１０Ｘ）、スキャン駆動回路２０、プラズマディスプレイパネル（以下、「ＰＤＰ」という。）３０、アドレス回路４０、駆動制御回路５０、画像信号処理回路６０を有する構成となっている。
【００５１】
ＰＤＰ３０は、画像を表示する表示パネルであり、本実施の形態では、前述のＡＬＩＳ方式の構成をとる。従って、ｎ本のＹ電極３１Ｙとｎ＋１本のＸ電極３１Ｘとが互いに横方向に平行に、かつ縦方向に交互に配置され、これら両電極３１Ｙ、３１Ｘと直交してアドレス電極３２が配されているマトリックス状の電極配列構造を有し、Ｙ電極３１Ｙ及びＸ電極３１Ｘと、アドレス電極３２との交点位置に表示セル３３が形成される。Ｙ電極とＸ電極は、表示電極を構成する。サブフィールドの維持期間においては、維持パルスがＹ電極３１ＹとＸ電極３１Ｘに各々印加され、Ｙ電極３１ＹとＸ電極３１Ｘの表示電極間で、維持放電が発生する。なお、Ｙ電極３１Ｙは、走査電極又はスキャン電極と呼んでもよく、Ｘ電極３１Ｘは、維持電極又はサステイン電極と呼んでもよい。
【００５２】
維持期間における表示発光は、全ての表示電極（Ｙ電極３１ＹとＸ電極３１Ｘ）の間で行われる。従って、Ｙ電極３１ＹとＸ電極３１Ｘを合わせた合計２ｎ＋１本の表示電極で、２ｎ本の表示ラインが形成される。
【００５３】
ＡＬＩＳ方式では、全ての表示電極間で維持放電が行われるが、これら全ての表示電極間での維持放電を同時に発生させることはできない。従って、インターレース走査によって、奇数フィールドでは奇数番目の表示ラインでの表示を行い、偶数フィールドでは偶数番目の表示ラインで表示を行うことによって、両表示を合わせて１つの画像表示を行う。
【００５４】
スキャン駆動回路２０は、Ｙ電極３１Ｙに接続されており、スイッチ２１を有している。これにより、アドレス期間にはＹ電極３１Ｙに接続するように切り替えられ、駆動制御回路５０からの制御信号によって、Ｙ電極３１Ｙに順にスキャンパルスを印加してスキャン駆動する。また、サステイン（維持放電）期間には、Ｙ電極３１ＹがＹ電極駆動回路１０Ｙと接続するように切り換えられる。このとき、Ｘ電極３１ＸはＸ電極駆動回路１０Ｘに接続される。
【００５５】
Ｙ電極駆動回路１０Ｙは、Ｙ電極３１Ｙをサステイン駆動（維持放電させるように駆動）するサステイン駆動回路１１Ｙ、１２Ｙを含んで構成される。サステイン駆動回路１１Ｙ、１２Ｙは、表示電極３１Ｙに対して維持パルスを印加する回路であり、奇数番目のＹ電極３１Ｙを駆動するＹ奇数電極駆動回路（Ｙｏ）１１Ｙと、偶数番目のＹ電極３１Ｙを駆動するＹ偶数電極駆動回路（Ｙｅ）１２Ｙとからなる。そして、サステイン期間には、奇数番目のＹ電極（以下、「Ｙ奇数電極」という。）３１ＹはＹ奇数電極駆動回路１１Ｙに接続され、偶数番目のＹ電極（以下、「Ｙ偶数電極」という。）３１ＹはＹ偶数電極駆動回路１２Ｙに接続される。
【００５６】
同様に、Ｘ電極駆動回路１０Ｘは、Ｘ電極３１Ｘをサステイン駆動（維持放電させるように駆動）するサステイン駆動回路１１Ｘ、１２Ｘを含んで構成される。サステイン駆動回路は、奇数番目のＸ電極３１Ｘを駆動するＸ奇数電極駆動回路（Ｘｏ）１１Ｘと、偶数番目のＸ電極３１Ｘを駆動するＸ偶数電極駆動回路（Ｘｅ）１２Ｘとからなる。そして、サステイン期間には、奇数番目のＸ電極（以下、「Ｘ奇数電極」という。）３１ＸはＸ奇数電極駆動回路１１Ｘに接続され、偶数番目のＸ電極（以下、「Ｘ偶数電極」という。）３１ＸはＸ偶数電極駆動回路１２Ｘに接続される。
【００５７】
画像信号処理回路６０は、入力された画像信号をプラズマディスプレイ装置内部での動作に適した形式の画像データに変換した後、アドレス回路４０に供給する。アドレス回路４０は、アドレス電極３２に接続され、画像信号処理回路６０にて画像信号から変換された画像データに基づいて、アドレス期間に、スキャン駆動回路２０からのスキャンパルスに応じてアドレスパルスを形成して出力する。このアドレスパルスによってアドレス電極３２を駆動し、これによりアドレス放電が生じる。
【００５８】
Ｙ電極駆動回路１０Ｙ及びＸ電極駆動回路１０Ｘからなる電極駆動回路１０は、サステイン期間に、Ｙ電極３１Ｙ及びＸ電極３１Ｘに維持放電用の駆動電圧の維持パルスを印加して駆動し、前述のアドレス放電によりアドレス選択された点灯すべき表示セル３３の輝度に応じた回数の維持放電を生じさせることにより、画像を表示するプラズマディスプレイパネル３０の駆動回路である。
【００５９】
駆動制御回路５０は、アドレス回路４０、スキャン駆動回路２０および電極駆動回路１０（Ｙ電極駆動回路１０Ｙ、Ｘ電極駆動回路１０Ｘ）を含むプラズマディスプレイ装置の各部を制御するための制御信号を形成して出力する。
【００６０】
上記の構成により、本実施の形態のＡＬＩＳ方式のプラズマディスプレイ装置は、アドレス期間には、スキャン駆動回路２０からのスキャンパルスに応じてアドレス回路４０から画素データに対応したアドレスパルスを出力し、アドレス電極３２に供給する。これにより、ＰＤＰ３０の該当する表示セルにおいてアドレス放電を行う。
【００６１】
また、サステイン期間には、Ｘ奇数電極サステイン駆動回路１１ＸおよびＸ偶数電極サステイン駆動回路１２Ｘ、Ｙ奇数電極サステイン駆動回路１１Ｙ、Ｙ偶数電極サステイン駆動回路１２Ｙ、によって、ＰＤＰ３０上の奇数表示ラインおよび偶数表示ラインをそれぞれ駆動し、ＰＤＰパネル３０上の、前述したアドレス放電によってアドレスされた表示セルのＹ電極３１ＹとＸ電極３１Ｘとの間で維持放電を行うことによって画像表示を行う。
【００６２】
図３は、本実施の形態におけるＹ電極駆動回路１０ＹとＸ電極駆動回路１０Ｘの詳細構成例を示した図である。図３では、ＰＤＰパネル３０がＹ電極駆動回路１０ＹとＸ電極駆動回路１０Ｘとに接続されている状態が示されている。Ｙ電極駆動回路１０Ｙは、ＰＤＰ３０をＹ電極３１Ｙ側から駆動し、Ｘ電極駆動回路１０Ｘは、ＰＤＰパネル３０をＸ電極３１Ｘ側から駆動する。
【００６３】
Ｘ電極駆動回路１０Ｘは、Ｘ奇数電極３１Ｘをサステイン駆動するＸ奇数電極サステイン駆動回路１１Ｘを含み、Ｘ奇数電極サステイン駆動回路１１Ｘは、クランプ回路１３Ｘと電力回収回路１４Ｘとを含んで構成される。ここで、Ｘ電極駆動回路１０Ｘは、Ｘ偶数電極をサステイン駆動するＸ偶数電極サステイン駆動回路１２Ｘも有するが、Ｘ奇数電極サステイン駆動回路１１Ｘと同様な回路構成と動作であるため説明の便宜上図示せず、以下、Ｘ奇数電極を駆動する構成例を代表例として説明する。
【００６４】
Ｙ電極駆動回路１０Ｙは、Ｙ奇数電極３１Ｙをサステイン駆動するＹ奇数電極サステイン駆動回路１１Ｙを含み、Ｙ奇数電極サステイン駆動回路１１Ｙは、クランプ回路１３Ｙと電力回収回路１４Ｙとを含んで構成される。ここで、Ｙ電極駆動回路１０ＹについてもＸ電極駆動回路１０Ｘと同様に、以下、Ｙ奇数電極を駆動する構成例を代表例として説明する。なお、Ｘ電極駆動回路１０Ｘ及びＹ電極駆動回路１０Ｙにおいて、同じ機能を有する構成要素には同じ参照符号を付し、Ｘ電極側とＹ電極側とで区別が必要なものについては、その符号にそれぞれ添字ｘ、ｙを付すこととする。
【００６５】
Ｘ奇数電極サステイン駆動回路１１Ｘのクランプ回路１３Ｘは、例えばＭＯＳＦＥＴやＩＧＢＴで構成されたスイッチＳＷ１ｘ、ＳＷ２ｘを含んで構成される。またＹ奇数電極駆動回路１１Ｙのクランプ回路１３Ｙも同様に、ＭＯＳＦＥＴやＩＧＢＴで構成されたスイッチＳＷ１ｙ、ＳＷ２ｙを含んで構成される。
【００６６】
電力回収回路１４Ｙは、一方向性のダイオードＤ１ｙと電路をオン・オフするスイッチＳＷ４ｙとインダクタンスを形成するコイルＬ１ｙとを直列接続した構成と、一方向性のダイオードＤ２ｙと電路をオン・オフするスイッチＳＷ３ｙとインダクタンスを形成するコイルＬ２ｙとを直列接続した構成を有する。スイッチＳＷ３ｙ、ＳＷ４ｙはそれぞれ、コイルＬ１ｙ、Ｌ２ｙによる充放電経路の切り替えを行い、ダイオードＤ１ｙ、Ｄ２ｙはそれぞれ、逆方向電流が流れるのを阻止する。
【００６７】
電力回収回路１４Ｙ内において、コイルＬ１ｙ、Ｌ２ｙに接続されたスイッチＳＷ３ｙ、ＳＷ４ｙは、クランプ駆動の前後の期間において、ＰＤＰ３０の表示パネル容量ＣＰに対し、それぞれ交互にオン・オフすることにより充放電経路を切り替える。これにより、表示パネル容量ＣＰに対し充放電が行われる。電力回収回路１４Ｙにおける電力回収原理は、例えば、電力回収用コンデンサＣｒｙに電荷が蓄積されており、総てのスイッチＳＷ１ｙ、ＳＷ２ｙ、ＳＷ３ｙ、ＳＷ４ｙがオフとなっているときには、ＳＷ３ｙがオンとなり、パネル容量ＣＰとコイルＬ１ｙとでＬＣ共振が発生し、パネル容量ＣＰに電力回収用コンデンサＣｒｙから電圧が印加される。そして、スイッチＳＷ３ｙがオフとなるとともに、スイッチＳＷ２ｙがオンとなり、高電圧Ｖｓｙ１にクランプされる。次いで、放電の際には、スイッチＳＷ２ｙがオフとなってしばらくしてから、スイッチＳＷ４ｙがオンとなり、パネル容量ＣＰとコイルＬ２ｙのＬＣ共振によりパネル容量ＣＰの電圧が低下するとともに、電力回収用コンデンサＣｒｙに電荷が蓄積され、電力回収が行われる。そして、最終的には、スイッチＳＷ４ｙがオフとなるとともに、スイッチＳＷ１ｙがオンとなり、低電圧Ｖｓｙ２にクランプされる。このように、Ｙ奇数電極サステイン駆動回路１１Ｙは、電力回収用コンデンサＣｒｙを用いて、電力回収を行いつつＹ電極３１Ｙに維持パルスを印加することができる。なお、Ｘ電極駆動回路１０ＸのＸサステイン駆動回路１１Ｘにおいても同様の動作により、電力回収用コンデンサＣｙｘを用いて電力回収を行いつつ、Ｘ電極３１Ｘに維持パルスを印加することができる。
【００６８】
アドレス電極駆動回路４０Ａは、アドレス回路４０内にあり、スイッチ４１およびアドレスパルス生成回路４２を有する。図２に示されるアドレス期間においてのみ、アドレス選択の動作を行う際にスイッチ４１がオンし、アドレスパルス生成回路４２は、アドレス電極３２にアドレスパルスを供給する。アドレスパルスの供給毎に、アドレス電極３２とＹ電極間３１Ｙとの間の容量Ｃｙａに対してアドレス放電が起こり、それを種火として、図２で示されるサステイン期間においてＹ電極３１ＹとＸ電極３１Ｘとの間で維持放電が起きる。アドレス期間以外のリセット期間およびサステイン期間では、スイッチ４１はオフしている。
【００６９】
なお、スイッチＳＷ１ｙ〜ＳＷ４ｙ、スイッチＳＷ１ｘ〜ＳＷ４ｘ及びスイッチ４１は、駆動制御回路５０によって切り換えが行われる。スイッチＳＷ１ｙ〜ＳＷ４ｙ、ＳＷ１ｘ〜ＳＷ４ｘ、４１の切り替えのための制御信号は、駆動信号発生回路５１より発生するように構成されてよい。
【００７０】
図４は、実施の形態１に係るプラズマディスプレイ装置及びプラズマディスプレイパネルの駆動方法において、サステイン駆動回路１１Ｘ、１２Ｘ、１１Ｙ、１２Ｙから印加される、図３における表示電極（Ｙ電極３１Ｙ、Ｘ電極３１Ｘ）の駆動波形と各スイッチＳＷ１ｘ〜ＳＷ４ｘ、ＳＷ１ｙ〜ＳＷ４ｙの動作タイミングの例を示した図である。以後、サステイン駆動回路１１Ｘ、１２Ｘ、１１Ｙ、１２Ｙは、奇数電極と偶数電極を区別せず、双方を含めて、Ｘ電極３１Ｘ用のサステイン駆動回路１１Ｘ、１２ＸはＸサステイン駆動回路１１Ｘ、１２Ｘ、Ｙ電極３１Ｙ用のサステイン駆動回路１１Ｙ、１２Ｙは、Ｙサステイン駆動回路１１Ｙ、１２Ｙと標記するものとする。
【００７１】
図４（ａ）は、Ｘ電極３１Ｘの駆動電圧出力波形を示した図であり、図４（ｂ）は、Ｙ電極３１Ｙの駆動電圧出力波形を示した図である。図４（ｃ）は、Ｘ電極３１Ｘに印加される駆動電圧からＹ電極３１Ｙに印加される駆動電圧を控除した表示電極間の電位差波形図であり、表示セル３３に印加される電位差を示している。また、図４（ｄ）は、表示セル３３の発光波形を示した図である。図４（ｅ）は、Ｘ電極駆動回路１０Ｘ内のＸサステイン駆動回路１１Ｘ、１２Ｘの各スイッチＳＷ１ｘ〜ＳＷ４ｘの動作タイミングを示した図であり、図４（ｆ）は、Ｙ電極駆動回路１０Ｙ内のＹサステイン駆動回路１１Ｙ、１２Ｙの各スイッチＳＷ１ｙ〜ＳＷ４ｙの動作タイミングを示した図である。
【００７２】
以下、図４を用いて、Ｘ電極３１ＸおよびＹ電極３１Ｙが、図４（ａ）及び図４（ｂ）の波形で駆動される場合の動作を、Ｘ電極駆動回路１０Ｘ内のＸサステイン駆動回路１１Ｙ、１２ＹのスイッチＳＷ１ｘ〜ＳＷ４ｘの動作タイミングおよびＹ電極駆動回路１０Ｙ内のＹサステイン駆動回路１１Ｙ、１２ＹのスイッチＳＷ１ｙ〜ＳＷ４ｙの動作タイミングを基に各期間毎に説明する。
【００７３】
ｔ１〜ｔ２期間：
サステイン期間のうちの先頭パルスを用いて説明する。この期間は、Ｘ電極側はサステイン期間中であり、Ｘサステイン駆動回路１１ＸではスイッチＳＷ１ｘはオンである。一方、Ｙ電極側はサステイン期間の中で立ち下げ期間であり、Ｙ電極３１Ｙ側は立ち下げ期間となり、電力回収回路１４ＹのスイッチＳＷ４ｙをオンさせ、表示パネル３０の電荷をダオイードＤ２ｙからコイルＬ２ｙを介して電力を回収あるいは充電を行う。この時、Ｙサステイン駆動回路１１Ｙ、１２Ｙでは、スイッチＳＷ４ｙ以外は全てオフである。
ｔ２〜ｔ３期間：
この期間は、Ｘ電極側はサステイン期間の中でオフ期間であり、Ｘサステイン駆動回路１１Ｘ、１２ＸではスイッチＳＷ１ｘ〜ＳＷ４ｘは全てオフである。一方、Ｙ電極側では、Ｙサステイン駆動回路１１Ｙ、１２Ｙのスイッチ２ｘを介して電圧Ｖｓｙ１に接続してＹ電極３１Ｙに電力を供給する。
【００７４】
ｔ３〜ｔ４期間：
この期間は、Ｘ電極側はサステイン期間の中で立ち上げ期間であり、Ｘ電極３１Ｘに電力回収回路１４ＸのスイッチＳＷ３ｘからコイルＬ１ｘを介して電力をＰＤＰパネル３０のＸ電極３１Ｘへ供給する。一方、Ｙサステイン駆動回路１１Ｙ、１２Ｙでは、スイッチＳＷ１ｙがオンであり、それ以外のスイッチは全てオフである。
【００７５】
ｔ４〜ｔ５期間：
この期間は、Ｘ電極側はサステイン期間のままであり、Ｘサステイン駆動回路１１Ｘ、１２Ｘのクランプ回路１３ＸではスイッチＳＷ２ｘがオンし、電圧Ｖｓｘ１が印加される。一方、Ｙ電極駆動回路１０ＹではスイッチＳＷ１ｙがオンであり、それ以外のスイッチは全てオフである。
ｔ５〜ｔ６期間：
この期間は、Ｘ電極側はスイッチＳＷ２ｘをオフにし、出力をハイインピーダンス状態にする。またＹ電極側はスイッチＳＷ１ｙをオフにし、出力をハイインピーダンス状態にする。
【００７６】
ｔ６〜ｔ７期間：
この期間は、Ｘ電極側は立ち下げ期間であり、電力回収回路１４ＸのスイッチＳＷ４ｘをオンさせ、ＰＤＰパネル３０の電荷をダイオードＤ２ｘからコイルＬ２ｘ方向へ回収あるいは充電を行う。一方、Ｙ電極側は立ち上げ期間であり、クランプ回路１３ＹのスイッチＳＷ１ｙがオフし、電力回収回路１４ＹのスイッチＳＷ３ｙがオンし、電力回収回路１４ＹがＹ電極３１Ｙに接続される。これにより、Ｙ電極３１Ｙに電力回収回路１４Ｙから電力が供給される。
【００７７】
このように、本実施の形態のプラズマディスプレイ装置では、図４（ａ）に示すように、維持パルスについて、時間幅Ｔａの間、維持放電電圧Ｖｓｘを維持放電電圧Ｖｓｙに対して付加することを特徴としている。これにより、図４（ｃ）に示すＸ電極とＹ電極の電位差波形は、Ｖｓｙの波高値を有する電圧波形に、Ｖｓｘの波高値を有する電圧波形が加えられた電圧波形となり、Ｘ電極３１Ｘに印加された電圧波形の分の段差が生じている。
【００７８】
ここで、Ｘ電極３１Ｘに印加された波高値Ｖｓｘの電圧は、この単独の波高値では、表示セル３３に維持放電を発生させない大きさの低電圧維持パルスである。例えば、Ｖｓｘ＝１００〔Ｖ〕程度であれば、この低電圧維持パルスを、例えばＹ電極を接地電位にして印加しても、維持放電は発生しない場合が多い。一方、Ｙ電極３１Ｙに印加された維持パルスの波高値Ｖｓｙは、単独でＹ電極３１Ｙに印加したときに、維持放電が発生可能な大きさの高電圧維持パルスである。例えば、Ｙ電極３１Ｙに印加する維持パルスを、Ｖｓｙ＝２００〜３００〔Ｖ〕程度に設定すれば、Ｘ電極３１Ｘを接地電位にしてこの高電圧維持パルスを印加したときに、表示セル３３は発光する場合が多い。ここで述べた数値はあくまで一例であるが、実施の形態１においては、Ｘ電極３１Ｘに、単独で印加したときには維持放電が発生しない波高値の低電圧維持パルスを印加し、Ｙ電極３１Ｙには単独で印加したときに維持放電が発生する波高値の高電圧維持パルスを、互いに逆相となるように印加している。そして、Ｙ電極３１Ｙに印加する高電圧維持パルスは、時刻ｔ１において立ち下がりが開始し、時刻ｔ２に最低値に達しているが、Ｘ電極３１Ｘに印加する低電圧維持パルスは、時刻ｔ１〜ｔ３の時間遅れを有して、時刻ｔ３に立ち上がりが開始し、時刻ｔ４に最高値に達している。これにより、図４（ｃ）に示す表示電極間の電位差波形は、最高値が両者の波高値の合計値である（Ｖｓｘ＋Ｖｓｙ）となる部分（ｔ＝４〜６）を有し、更にＶｓｙが単独で印加されている部分（ｔ＝２〜３）を含む電圧波形となる。
【００７９】
このような電位差波形を構成することにより、図４（ｄ）に示す発光波形は、表示電極間の電位差波形がｔ＝３において波高値Ｖｓｙに達してから、所定の時間遅れを生じて１回目の発光を生じ、更に電位差波形がｔ＝４において波高値（Ｖｓｙ＋Ｖｓｘ）に達してから、２回目の発光が発生する波形となっている。このような、維持パルスの半周期で２回の放電が連続的に発生する放電を、２段階放電又は２山放電と呼んでいるが、２山放電は、１回の大きな放電を発生させる通常の維持放電とは異なり、やや小さめの放電を持続的に２回発生させるものであり、発光効率が非常に高い放電である。また、ｔ＝６〜７においては、Ｘ電極３１Ｘに印加している低電圧維持パルスと、Ｙ電極３１Ｙに印加している高電圧維持パルスの極性を同時に反対にしているので、ここでも所定の時間遅れの後に大きな維持放電が発生している。２山放電の後は、やや表示セル３３内の壁電荷が乱れている場合があるので、このような大きな維持放電により壁電荷を調整するようにすると、その後の維持放電も適正に行われることが多い。実施の形態１に係るプラズマディスプレイ装置及びプラズマディスプレイパネルの駆動方法によれば、このような、高効率で維持放電を適正に継続できる維持パルスを容易に発生させることができる。
【００８０】
また、上述のように、Ｘ電極３１Ｘに印加する低電圧維持パルスは、その波高値Ｖｓｘが、単独の印加では維持放電を発生させない程度の低い電圧であるので、Ｘ電極駆動回路１０Ｘ内のＸサステイン駆動回路１１Ｘ、１２Ｘを低耐圧に構成することができる。よって、Ｘサステイン駆動回路１１Ｘ、１２Ｘに用いられる部品も、低耐圧の部品を用いることができ、コスト低減を図ることができる。また、Ｘサステイン駆動回路１１Ｘ、１２ＸにおいてＸ電極３１Ｘに印加する維持パルスは、低電圧で済むので、Ｘサステイン駆動回路１１Ｘ、１２Ｘにおいて消費する消費電力を低減させることができ、省電力化を図れる。
【００８１】
このように、実施の形態１に係るプラズマディスプレイ装置及びプラズマディスプレイパネルの駆動方法によれば、サステイン期間中における任意の位置の維持パルスに対して、Ｙ電極とＸ電極間の電位差を維持放電が十分に起こるように、維持パルスを印加することで、安定した駆動が得られる。また、維持放電電圧を低くした電極側の電源回路からの電力損失を低減する効果が得られることにより、駆動回路基板を小さくすることができ、最近の高Ｘｅ化の大型パネルなどにおけるコスト低減化も実現することができる。つまり、実施の形態１に係るプラズマディスプレイ装置及びプラズマディスプレイパネルの駆動方法によれば、Ｘサステイン駆動回路１１Ｘ、１２Ｘの低コスト化及び省電力化を図りつつ、発光効率の高い維持放電を行うことができる。
【００８２】
なお、高電圧維持パルスの波高値Ｖｓｙは、例えば、低電圧維持パルスの波高値Ｖｓｘの２倍以上４倍以下に設定するようにしてもよく、好ましくは２．５倍以上３．５倍としてもよく、３倍程度に設定するのが最適である。具体的には、例えば、低電位維持パルスの波高値Ｖｓｘを１００〔Ｖ〕に設定したら、高電位維持パルスの波高値を２００〜４００〔Ｖ〕になるように設定し、好ましくは３００〔Ｖ〕程度に設定するようにしてもよい。なお、ここで述べた維持パルスの波高値の関係は、以後の実施の形態においても、同様に適用することができる。
【００８３】
〔実施の形態２〕
図５は、実施の形態２に係るプラズマディスプレイ装置及びプラズマディスプレイパネルの駆動方法の表示電極（Ｘ電極３１Ｘ、Ｙ電極３１Ｙ）の駆動波形と各スイッチの動作タイミングの例を示す図である。実施の形態２に係るプラズマディスプレイ装置及びプラズマディスプレイパネルの駆動方法は、Ｘ電極３１Ｘに印加する維持パルスを低電圧にし、低電圧維持パルスとする点で実施の形態１に係るプラズマディスプレイ装置及びプラズマディスプレイパネルの駆動方法と共通するが、低電圧維持パルスのパルス幅を変えてＹサステイン駆動回路１１Ｙ、１２Ｙから出力される維持パルスに対する立ち下がりの位置を変え、放電のタイミングを変えた駆動を行う点で異なる。なお、本実施の形態のプラズマディスプレイ装置の全体構成は、実施例１の図３と同様であるため、その説明を省略する。
【００８４】
実施の形態１の図４と同様に、図５（ａ）は、Ｘ電極３１Ｘの駆動電圧出力波形を示しており、図５（ｂ）は、Ｙ電極３１Ｙの駆動電圧出力波形を示している。また、図５（ｃ）は、Ｘ電極３１Ｘの電位からＹ電極３１Ｙの電位を差し引いた表示電極間の電位差波形を示しており、図５（ｄ）は、表示セル３３の発光波形を示している。図５（ｅ）は、Ｘサステイン駆動回路１１Ｘ、１２Ｘ内の各スイッチＳＷ１ｘ〜ＳＷ４ｘの動作タイミングを示しており、図５（ｆ）は、Ｙサステイン駆動回路１１Ｙ、１２Ｙ内の各スイッチＳＷ１ｙ〜ＳＷ４ｙの動作タイミングを示した図である。
【００８５】
図５（ａ）のＸ電極３１Ｘの駆動電圧出力波形及び図５（ｂ）のＹ電極駆動回路１０Ｙ内と、図５（ｅ）及び図５（ｆ）の各スイッチＳＷ１ｘ〜ＳＷ４ｘ、ＳＷ１ｙ〜ＳＷ４ｙの動作タイミングの関係については、実施の形態１の図４（ａ）、（ｂ）と図４（ｅ）、（ｆ）との関係と同様であるため、その説明を省略する。
【００８６】
図５（ａ）、（ｂ）の時刻ｔ１〜ｔ６において、Ｘ電極３１Ｘに印加される低電圧維持パルス及びＹ電極３１Ｙに印加される高電圧維持パルスの電圧波形は、実施の形態１と同様であり、図５（ｃ）、（ｄ）においても、実施の形態１と同様の表示電極の電位差波形及び発光波形を示している。
【００８７】
一方、ｔ６〜ｔ７の期間において、実施の形態１の図４（ａ）においては、Ｘ電極３１Ｘに印加されている低電圧維持パルスが、Ｙ電極に印加されている高電圧維持パルスの極性が反転するのと同時に極性を反転させていたが、実施の形態２の図５（ａ）においては、低電圧維持パルスは継続的に正電圧のＶｓｘ１を印加している。そして、ｔ９〜ｔ１０の期間において、低電圧維持パルスの電圧をＶｓｘ１からＶｓｘ２として極性を反転させている。つまり、低電圧維持パルスの立ち下げタイミングを遅らせ、次の半周期の高電圧維持パルスがｔ６〜ｔ７に立ち上がってから、低電圧維持パルスが立ち下がるタイミングとしている。
【００８８】
これにより、図５（ｃ）に示すように、表示電極間の電位差波形は、ｔ６〜ｔ１０における立ち下がり部分においても、段差を有する２段階の波形となっている。このような表示電極間の電位差波形を形成することにより、図５（ｄ）に示すように、表示電極間の電差波形の立ち下がり時においても、２山放電が発生することになる。これにより、維持放電を一層効率化することができる。
【００８９】
以上に述べたように、本実施の形態のプラズマディスプレイ装置及びプラズマディスプレイパネルの駆動方法によれば、実施の形態１と同様に、Ｘ電極３１Ｘの駆動電圧出力波形のタイミングを変えて付加することで、放電のさらなる安定化と高効率化を図ることができる。
【００９０】
〔実施の形態３〕
図６は、実施の形態３に係るプラズマディスプレイ装置及びプラズマディスプレイパネルの駆動方法の表示電極（Ｘ電極３１Ｘ、Ｙ電極３１Ｙ）の駆動波形と各スイッチＳＷ１ｘ〜ＳＷ４ｘ、ＳＷ１ｙ〜ＳＷ４ｙの動作タイミングの例を示す図である。実施の形態１の図４と同様に、図６（ａ）は、Ｘ電極３１Ｘの駆動電圧出力波形を示しており、図６（ｂ）は、Ｙ電極３１Ｙの駆動電圧出力波形を示している。図６（ｃ）は、Ｘ電極３１ＸからＹ電極３１Ｙの電位を控除した表示電極間の電位差波形を示しており、図６（ｄ）は、表示セル３３の発光波形を示している。図６（ｅ）は、Ｘサステイン駆動回路１１Ｘ、１２Ｘ内の各スイッチＳＷ１ｘ〜ＳＷ４ｘの動作タイミングを示しており、図６（ｆ）は、Ｙサステイン駆動回路１１Ｙ、１２Ｙ内の各スイッチＳＷ１ｙ〜ＳＷ４ｙの動作タイミングを示している。
【００９１】
上述の実施の形態１及び実施の形態２のプラズマディスプレイ装置及びプラズマディスプレイパネルの駆動方法では、Ｙサステイン駆動回路１１Ｙ、１２Ｙ及びＸサステイン駆動回路１１Ｘ、１２Ｘにおいて、維持パルスのパルス幅及び印加タイミングを変えて駆動を行う構成であったが、実施の形態３に係るプラズマディスプレイ装置及びプラズマディスプレイパネルの駆動方法では、更に維持パルスの印加タイミングを変えて駆動を行う。本実施の形態のプラズマディスプレイ装置の全体構成は、実施の形態１の図３と同様であるため、説明は省略する。
【００９２】
図６（ａ）のＸ電極３１Ｘの駆動電圧出力波形及び図６（ｂ）のＹ電極３１Ｙの駆動電圧出力波形と、図６（ｅ）のＸサステイン駆動回路１１Ｘ、１２Ｘ及び図６（ｆ）のＹサステイン駆動回路１１Ｙ、１２Ｙ内の各スイッチＳＷ１ｘ〜ＳＷ４ｘ、ＳＷ１ｙ〜ＳＷ４ｙとの動作タイミングとの関係については、実施の形態１の図４（ａ）、（ｂ）と図４（ｅ）、（ｆ）との関係と同様であるため説明を省略する。
【００９３】
図６において、実施の形態１の図４の構成との相違点は、Ｙサステイン駆動回路１１Ｙ、１２Ｙの駆動出力Ｖｓｙ１の時間を短縮した駆動を行っている点である。これにより、図６（ｂ）に示すように、Ｙ電極３１Ｙに印加される高電圧維持パルスが最低値Ｖｓｙ２をとる時間が長くなり、図６（ｃ）の表示電極間の電位差波形においては、波高値Ｖｓｙのパルスの上の中央部に、波高値Ｖｓｘのパルスが加算されたような波形となる。図６（ｃ）の表示電極間の電位差波形において、立ち上がり時は、ｔ１〜ｔ３と、ｔ３〜ｔ４で２段となる波形が形成されるので、図６（ｄ）に示すように、表示セル３３の発光波形は、２山放電の波形となる。一方、図６（ｃ）の表示電極間の電位差波形において、ｔ６〜ｔ１０の立ち下がり時も、ｔ６〜ｔ９と、ｔ９〜ｔ１０の２段の波形となるが、電位差が大きくなるｔ１０のときにのみ所定の時間遅れを有して表示セル３３が１回点灯することになる。
【００９４】
このように、実施の形態３のプラズマディスプレイ装置及びプラズマディスプレイパネルの駆動方法によれば、Ｙサステイン駆動回路１１Ｙ、１２Ｙからの高電圧維持パルスの印加時間を短縮しつつ、Ｘサステイン駆動回路１１Ｘ、１２Ｘからの低電圧維持パルスの立ち上がり時の時間遅れにより２山放電を発生させるとともに、最後に大きな１山放電を発生させるので、Ｙサステイン駆動回路１１Ｙ、１２Ｙを含めた省電力化と、高発光効率化を実現することができる。
【００９５】
〔実施の形態４〕
図７は、実施の形態４に係るプラズマディスプレイ装置及びプラズマディスプレイパネルの駆動方法の表示電極（Ｘ電極３１Ｘ、Ｙ電極３１Ｙ）の駆動波形と各スイッチＳＷ１ｘ〜ＳＷ４ｘ、ＳＷ１ｙ〜ＳＷ４ｙの動作タイミングの例を示す図である。実施の形態１の図４と同様に、図７（ａ）は、Ｘ電極３１Ｘの駆動電圧出力波形を示しており、図７（ｂ）は、Ｙ電極３１Ｙの駆動電圧出力波形を示している。図７（ｃ）は、Ｘ電極３１ＸからＹ電極３１Ｙの電位を差し引いた表示電極間の電位差波形を示しており、図７（ｄ）は、表示セル３３の発光波形を示している。図７（ｅ）は、Ｘサステイン駆動回路１１Ｘ、１２Ｘ内の各スイッチＳＷ１ｘ〜ＳＷ４ｘの動作タイミングを示しており、図７（ｆ）は、Ｙ電極駆動回路１０Ｙ内の各スイッチＳＷ１ｙ〜ＳＷ４ｙの動作タイミングを示している。
【００９６】
上述の実施の形態１乃至実施の形態３のプラズマディスプレイ装置及びプラズマディスプレイパネルの駆動方法においては、Ｙ電極３１Ｙに印加される高電圧維持パルスが、まず正極性から負極性に立ち下がり、時間遅れを有してＸ電極３１Ｘに印加される低電圧維持パルスが負極性から正極性に立ち上がる構成であったが、実施の形態４のプラズマディスプレイ装置及びプラズマディスプレイパネルの駆動方法では、維持パルスの印加の位相が逆である点で異なっている。なお、本実施の形態のプラズマディスプレイ装置の全体構成は、実施の形態１の図３と同様であるため、説明は省略する。
【００９７】
図７（ｂ）において、ｔ１でＹ電極３１Ｙに印加される高電圧維持パルスが負電位Ｖｓｙ２から立ち上がり、ｔ２で正電圧の最大値Ｖｓｙ１に達しており、その後ｔ６まで最大値Ｖｓｙ１が維持されている。そして、ｔ６からｔ７で、最大値Ｖｓｙ１から、最小値Ｖｓｙ２に立ち下がる電圧波形となっている。一方、図７（ａ）においては、ｔ３でＸ電極３１Ｘに印加される低電圧維持パルスが正電圧Ｖｓｘ１から立ち下がり、ｔ４で負電圧の最小値Ｖｓｘ２に達しており、その後、ｔ６まで最小値Ｖｓｘ２が維持される。そして、ｔ６からｔ７で、最小値Ｖｓｘ２から最大値Ｖｓｘ１に立ち上がる電圧波形となっている。
【００９８】
ここで、図７（ａ）の低電圧維持パルスの立ち下がりタイミングｔ３は、図７（ｂ）の高電圧維持パルスの立ち上がりタイイングｔ１よりも遅れており、低電圧維持パルスの立ち上がりタイミングｔ６は、高電圧維持パルスの立ち下がりタイミングｔ６と同時である。よって、図７（ｃ）に示すように、表示電極間の電位差波形はｔ２〜ｔ３で、高電圧維持パルスの波高値Ｖｓｙと同じ電位差分最大値から下降した値となり、ｔ４〜ｔ５で（Ｖｓｘ＋Ｖｓｙ）の合計値と同じ電位差分最大値から下降した値となっており、段差を有する２段波形を形成している。これに対応し、表示セル３３の発光波形は、表示電極間の電位差波形が、−Ｖｓｙ変化してから１回目の維持放電が発生し、更に合計で−（Ｖｓｘ＋Ｖｓｙ）分変化してから、２回目の維持放電が発生する２山放電となっている。そして、ｔ５〜ｔ７で、（Ｖｓｘ＋Ｖｓｙ）の合計波高値分増加してから、３回目の大きな維持放電が発生している。
【００９９】
図７に示す実施の形態４に係るプラズマディスプレイ装置及びプラズマディスプレイパネルの駆動方法の駆動波形は、図４に示した実施の形態１に係るプラズマディスプレイ装置及びプラズマディスプレイパネルの駆動方法の駆動波形と、極性を逆にした関係にある。従って、図７（ｄ）に示す発光波形は、Ｘ電極３１ＸとＹ電極３１Ｙの正負の極性は異なるだけで、図４（ｄ）に示した発光波形と同様の発光波形となる。
【０１００】
なお、図７（ｅ）、（ｆ）に示す各スイッチＳＷ１ｘ〜ＳＷ４ｘ、ＳＷ１ｙ〜ＳＷ４ｙのスイッチング動作は、図４（ｅ）、（ｆ）のタイミングチャートを、維持パルスの極性が逆順で出力されるように、スイッチング順序を入れ替えたものとなる。
【０１０１】
このように、実施の形態１と逆位相でＸ電極３１Ｘ及びＹ電極３１Ｙに維持パルスを印加するようにしても、発光時の極性のみが異なる、実施の形態１と同様の発光波形を得ることができ、実施の形態１と同様に、消費電力の低減、サステイン駆動回路Ｘ１１、Ｘ１２、Ｙ１１、Ｙ１２の低コスト化及び発光の高効率と安定化を図ることができる。
【０１０２】
〔実施の形態５〕
図８は、実施の形態５に係るプラズマディスプレイ装置及びプラズマディスプレイパネルの駆動方法の表示電極（Ｘ電極３１Ｘ、Ｙ電極３１Ｙ）の駆動波形と各スイッチＳＷ１ｘ〜ＳＷ４ｘ、ＳＷ１ｙ〜ＳＷ４ｙの動作タイミングの例を示す図である。実施の形態１乃至実施の形態４と同様に、図８（ａ）は、Ｘ電極３１Ｘの駆動電圧出力波形を示しており、図８（ｂ）は、Ｙ電極３１Ｙの駆動電圧出力波形を示している。図８（ｃ）は、Ｘ電極３１ＸからＹ電極３１Ｙの電位を差し引いた表示電極間の電位差波形を示しており、図８（ｄ）は、表示セル３３の発光波形を示している。図８（ｅ）は、Ｘサステイン駆動回路１１Ｘ、１２Ｘ内の各スイッチＳＷ１ｘ〜ＳＷ４ｘの動作タイミングを示しており、図８（ｆ）は、Ｙサステイン駆動回路１１Ｙ、１２Ｙ内の各スイッチＳＷ１ｙ〜ＳＷ４ｙの動作タイミングを示している。なお、本実施の形態のプラズマディスプレイ装置の全体構成は、実施の形態１の図３と同様であるため、説明は省略する。
【０１０３】
実施の形態５は、図５に示した実施の形態２の駆動波形と、位相を逆相とした関係にある。つまり、実施の形態２及び実施の形態４の双方において、Ｘ電極３１Ｘには波高値Ｖｓｘの低電圧維持パルスが印加され、Ｙ電極３１Ｙには波高値Ｖｓｙの高電圧維持パルスが印加されている点で共通している。一方、実施の形態２においては、図５（ａ）、（ｂ）に示すように、高電圧維持パルスが最低値Ｖｓｙ２となっているときに、最低値Ｖｓｘ２から最高値Ｖｓｘ１に立ち上がる低電圧維持パルスがｔ１〜ｔ３の時間遅れを有して印加されるのに対し、実施の形態４においては、図８（ａ）、（ｂ）に示すように、高電圧維持パルスが最高値Ｖｓｙ１となっているときに、最高値Ｖｓｘ１から最低値Ｖｓｘ２に立ち下がる低電圧維持パルスが印加されている点で異なっている。
【０１０４】
これらの相違は、維持放電時に、Ｘ電極３１ＸとＹ電極３１Ｙの正負の関係が逆になるだけであり、従って、図８（ｃ）に示すように、Ｘ電極３１Ｘの電位からＹ電極３１Ｙの電位を差し引いた表示電極間電位差波形は、図５（ｃ）に示した実施の形態２に係る表示電極間電位差波形を上下逆にしたような波形となっている。よって、図８（ｄ）に示す発光波形は、図５（ｄ）に示した発光波形と同様に、１周期で２山放電が２回発生するような高効率の発光波形となっている。
【０１０５】
また、図８（ｅ）、（ｆ）に示した各スイッチＳＷ１ｘ〜ＳＷｘ４、ＳＷ１ｙ〜ＳＷ４ｙの動作タイミングにおいても、図５（ｅ）、（ｆ）に示したスイッチングタイミングの順序を入れ替えた構成となっている。
【０１０６】
実施の形態５に係るプラズマディスプレイ装置及びプラズマディスプレイパネルの駆動方法によれば、実施の形態２に係るプラズマディスプレイ装置及びプラズマディスプレイパネルの駆動方法の位相を逆相とした駆動電圧波形を有する維持パルスを表示電極に印加することにより、低コスト化を図りつつ、消費電力の低減及び高発光効率を実現することができる。
【０１０７】
〔実施の形態６〕
図９は、実施の形態６に係るプラズマディスプレイ装置及びプラズマディスプレイパネルの駆動方法の表示電極（Ｘ電極３１Ｘ、Ｙ電極３１Ｙ）の駆動波形と各スイッチＳＷ１ｘ〜ＳＷ４ｘ、ＳＷ１ｙ〜ＳＷ４ｙの動作タイミングの例を示す図である。実施の形態１乃至実施の形態５と同様に、図９（ａ）は、Ｘ電極３１Ｘの駆動電圧出力波形を示しており、図９（ｂ）は、Ｙ電極３１Ｙの駆動電圧出力波形を示している。図９（ｃ）は、Ｘ電極３１ＸからＹ電極３１Ｙの電位を控除した表示電極間の電位差波形を示しており、図９（ｄ）は、表示セル３３の発光波形を示している。図９（ｅ）は、Ｘサステイン駆動回路１１Ｘ、１２Ｘ内の各スイッチＳＷ１ｘ〜ＳＷ４ｘの動作タイミングを示しており、図９（ｆ）は、Ｙサステイン駆動回路１１Ｙ、１２Ｙ内の各スイッチＳＷ１ｙ〜ＳＷ４ｙの動作タイミングを示している。なお、本実施の形態のプラズマディスプレイ装置の全体構成は、実施の形態１の図３と同様であるため、説明は省略する。
【０１０８】
実施の形態６においては、図６に示した実施の形態３と逆位相の関係にある維持パルスが、表示電極３１Ｘ、３１Ｙに印加された実施形態の例が示されている。図９（ａ）、（ｂ）においては、Ｘ電極Ｘ３１ＸにＶｓｘの波高値を有する低電圧維持パルスが印加され、Ｙ電極３１ＹにＶｓｙの波高値を有する高電圧維持パルスが印加されている点では、図６（ａ）、（ｂ）と共通するが、維持パルスの駆動波形の凸方向の正負が逆向きとなっている点で異なっている。つまり、図９（ａ）、（ｂ）においては、上に凸の高電位維持パルスがＹ電極に印加され、最高値Ｖｓｙ１をとっているときに、下に凸の低電位維持パルスがｔ１〜ｔ３の時間遅れを有して印加され、最高値Ｖｓｘ１から最低値Ｖｓｘ２に立ち下がる電圧波形となっている。そして、まだ高電圧維持パルスが最高値Ｖｓｙ１を維持している間に、低電圧維持パルスは最低値Ｖｓｘ２から最高値Ｖｓｘ１に立ち上がっている。これにより、図９（ｃ）に示すように、Ｘ電極３１ＸとＹ電極３１Ｙからなる表示電極間の電位差波形は、段差を有する下に凸の大きな山形の波形を形成し、発光波形は、図９（ｄ）に示すように、２山放電が発生し、最後に大きな１山放電が発生する波形となる。これは、実施の形態３の図６（ｄ）の発光波形と同様の発光波形であり、Ｘ電極３１ＸとＹ電極３１Ｙの正負の極性は逆となるが、１周期で２山放電と１山放電を発生させる高効率で安定性の高い発光波形を得ることができる。
【０１０９】
このように、実施の形態６に係るプラズマディスプレイ装置及びプラズマディスプレイパネルの駆動方法によれば、Ｘサステイン駆動回路Ｘ１１、Ｘ１２の耐圧を低電圧に構成して低コスト化を図るとともに、消費電力を低減し、高効率の安定した維持放電を行うことができる。
【０１１０】
以上、本発明の好ましい実施の形態について詳説したが、本発明は、上述した実施の形態に制限されることはなく、本発明の範囲を逸脱することなく、上述した実施の形態に種々の変形及び置換を加えることができる。
【０１１１】
特に、実施の形態１〜６においては、維持パルスの波高値の中央の電位を、低電位維持パルスと高電位維持パルスで同電位とし、接地電位ＧＮＤに設定し、維持パルスが印加される表示電極とは反対の表示電極において、維持パルスの印加方向とは逆方向に維持パルスを付加することにより、Ｙ電極３１ＹとＸ電極３１Ｘとの間の電位差を確保するようにした例を示した。この代わりに、例えば、パネルベース電位をＧＮＤレベルとして、維持パルスのＶｓｙおよびＶｓｘを正方向電圧とした構成とし、維持パルスの印加方向に重畳的に補正電圧パルスを付加するようにしてもよい。また、ＶｓｙおよびＶｓｘが負方向電圧の構成であってもよい。この場合も、Ｘ電極３１Ｘの電位からＹ電極３１Ｙの電位を差し引いた表示電極間の電差波形は、実施の形態１〜６と同様になるので、同様の発光を行うことができる。つまり、実施の形態１〜６のプラズマディスプレイ装置は、維持パルスに対して、Ｘ電極３１ＸとＹ電極３１Ｙとの間の電位差が維持放電電圧になるように印加することができればよく、これが実現される限り、その配置構成は特に限定されず、種々のパターンで構成することが可能である。
【０１１２】
また、実施の形態１〜６においては、Ｘ電極３１Ｘに印加する維持パルスを、単独の印加では維持放電が発生しない低電圧維持パルスとし、Ｙ電極３１Ｙに印加する維持パルスを、単独の印加で維持放電を発生させることができる高電圧維持パルスとして説明したが、Ｘ電極３１Ｘに印加する維持パルスを、単独の印加で維持放電が発生可能な高電圧維持パルスとし、Ｙ電極３１Ｙに印加する維持パルスを、単独での印加では維持放電が発生しない低電圧維持パルスとしてもよい。この場合には、Ｙサステイン駆動回路１１Ｙ、１２Ｙを低耐圧とし、低コスト化及び消費電力の低減を図ることができる。
【０１１３】
更に、本発明は、実施の形態１〜６のようにＡＬＩＳ方式をとるプラズマディスプレイ装置に限らず、ＡＬＩＳ方式ではないプラズマディスプレイ装置についても当然適用可能であり、プログレッシブ方式のプラズマディスプレイ装置にも同様に適用することができる。
【産業上の利用可能性】
【０１１４】
本発明は、ＰＤＰ（Plasma Display Panel：プラズマディスプレイパネル）を表示パネルに用いたプラズマディスプレイ装置及びプラズマディスプレイパネルの駆動方法に利用可能である。
【図面の簡単な説明】
【０１１５】
【図１】本発明の実施の形態に係るプラズマディスプレイ装置及びプラズマディスプレイパネルの駆動方法の駆動波形及び発光波形の一例を示す図である。図１（ａ）は、アドレス電極の駆動波形図である。図１（ｂ）は、Ｘ電極の駆動波形図である。図１（ｃ）は、Ｙ電極の駆動波形図である。図１（ｄ）は、１サブフィールドの放電期間を示した図である。図１（ｅ）は、セルの発光波形図である。
【図２】実施の形態１に係るプラズマディスプレイ装置の概略全体構成図である。
【図３】本実施の形態のＹ電極駆動回路１０ＹとＸ電極駆動回路１０Ｘの構成図例である。
【図４】実施の形態１に係るプラズマディスプレイ装置及びプラズマディスプレイパネルの駆動方法の表示電極の駆動波形と各スイッチの動作タイミングの例を示した図である。図４（ａ）は、Ｘ電極３１Ｘの駆動電圧出力波形図である。図４（ｂ）は、Ｙ電極３１Ｙの駆動電圧出力波形図である。図４（ｃ）は、表示電極間の電位差波形図である。図４（ｄ）は、表示セル３３の発光波形図である。図４（ｅ）は、Ｘサステイン駆動回路１１Ｘ、１２Ｘの各スイッチの動作タイミング図である。図４（ｆ）は、Ｙサステイン駆動回路１１Ｙ、１２Ｙの各スイッチの動作タイミング図である。
【図５】実施の形態２に係るプラズマディスプレイ装置及びプラズマディスプレイパネルの駆動方法の表示電極の駆動波形と各スイッチの動作タイミングの例を示した図である。図５（ａ）は、Ｘ電極３１Ｘの駆動電圧出力波形図である。図５（ｂ）は、Ｙ電極３１Ｙの駆動電圧出力波形図である。図５（ｃ）は、表示電極間の電位差波形図である。図５（ｄ）は、表示セル３３の発光波形図である。図５（ｅ）は、Ｘサステイン駆動回路１１Ｘ、１２Ｘ内の各スイッチの動作タイミング図である。図５（ｆ）は、Ｙサステイン駆動回路１１Ｙ、１２Ｙ内の各スイッチの動作タイミング図である。
【図６】実施の形態３に係るプラズマディスプレイ装置及びプラズマディスプレイパネルの駆動方法の表示電極の駆動波形と各スイッチの動作タイミングの例を示した図である。図６（ａ）は、Ｘ電極３１Ｘの駆動電圧出力波形図である。図６（ｂ）は、Ｙ電極３１Ｙの駆動電圧出力波形図である。図６（ｃ）は、表示電極間の電位差波形図である。図６（ｄ）は、表示セル３３の発光波形図である。図６（ｅ）は、Ｘサステイン駆動回路１１Ｘ、１２Ｘ内の各スイッチの動作タイミングを示した図である。図６（ｆ）は、Ｙサステイン駆動回路１１Ｙ、１２Ｙ内の各スイッチの動作タイミングを示した図である。
【図７】実施の形態４に係るプラズマディスプレイ装置及びプラズマディスプレイパネルの駆動方法の表示電極の駆動波形と各スイッチの動作タイミングの例を示した図である。図７（ａ）は、Ｘ電極３１Ｘの駆動電圧出力波形図である。図７（ｂ）は、Ｙ電極３１Ｙの駆動電圧出力波形図である。図７（ｃ）は、表示電極間の電位差波形図である。図７（ｄ）は、表示セル３３の発光波形図である。図７（ｅ）は、Ｘサステイン駆動回路１１Ｘ、１２Ｘ内の各スイッチの動作タイミングを示した図である。図７（ｆ）は、Ｙ電極駆動回路１０Ｙ内の各スイッチの動作タイミングを示した図である。
【図８】実施の形態５に係るプラズマディスプレイ装置及びプラズマディスプレイパネルの駆動方法の表示電極の駆動波形と各スイッチの動作タイミングの例を示した図である。図８（ａ）は、Ｘ電極３１Ｘの駆動電圧出力波形図である。図８（ｂ）は、Ｙ電極３１Ｙの駆動電圧出力波形図である。図８（ｃ）は、表示電極間の電位差波形図である。図８（ｄ）は、表示セル３３の発光波形図である。図８（ｅ）は、Ｘサステイン駆動回路１１Ｘ、１２Ｘ内の各スイッチの動作タイミングを示した図である。図８（ｆ）は、Ｙサステイン駆動回路１１Ｙ、１２Ｙ内の各スイッチの動作タイミングを示した図である。
【図９】実施の形態６に係るプラズマディスプレイ装置及びプラズマディスプレイパネルの駆動方法の表示電極の駆動波形と各スイッチの動作タイミングの例を示した図である。図９（ａ）は、Ｘ電極３１Ｘの駆動電圧出力波形図である。図９（ｂ）は、Ｙ電極３１Ｙの駆動電圧出力波形図である。図９（ｃ）は、表示電極間の電位差波形図である。図９（ｄ）は、表示セル３３の発光波形図である。図９（ｅ）は、Ｘサステイン駆動回路１１Ｘ、１２Ｘ内の各スイッチの動作タイミングを示した図である。図９（ｆ）は、Ｙサステイン駆動回路１１Ｙ、１２Ｙ内の各スイッチの動作タイミングを示した図である。
【図１０】従来のプラズマディスプレイ装置の駆動波形及び発光波形の概要図である。図１０（ａ）は、アドレス電極駆動波形図である。図１０（ｂ）は、Ｘ電極駆動波形図である。図１０（ｃ）は、Ｙ電極駆動波形図である。図１０（ｄ）は、放電期間の構成図である。図１０（ｅ）は、発光波形図である。
【図１１】従来のプラズマディスプレイ装置の維持パルスの例を示した図である。
【符号の説明】
【０１１６】
１０、１０Ｘ、１０Ｙ    電極駆動回路
１１Ｘ、１２Ｘ、１１Ｙ、１２Ｙ    サステイン駆動回路
２０    スキャン駆動回路
２１、４１、ＳＷ１ｘ〜ＳＷ４ｘ、ＳＷ１ｙ〜ＳＷ４ｙ    スイッチ
３０    ＰＤＰパネル
３１Ｘ    Ｘ電極
３１Ｙ    Ｙ電極
３２    アドレス電極
４０    アドレス回路
４０Ａ    アドレス電極駆動回路
４２    アドレスパルス発生回路
５０    駆動制御回路
５１    駆動信号発生回路
６０    画像信号処理回路
【図１】
2009294408.tif 000003
【図２】
2009294408.tif 000004
【図３】
2009294408.tif 000005
【図４】
2009294408.tif 000006
【図５】
2009294408.tif 000007
【図６】
2009294408.tif 000008
【図７】
2009294408.tif 000009
【図８】
2009294408.tif 000010
【図９】
2009294408.tif 000011
【図１０】
2009294408.tif 000012
【図１１】
2009294408.tif 000013